(57)【要約】【課題】  撮影された際のカメラの回転の向きに従って、撮影された画像を回転して記憶する画像処理制御方法及び通信端末装置を提供する。【解決手段】  撮影された際のカメラの回転の向きに従って、撮影された画像を回転させる指示が与えられた場合（ステップＳ１５ｋの「ＹＥＳ」）、画像編集部は、その画像が撮影された際の重力が働いた方向を示す情報から、カメラの回転の向きを判断し、その向きが標準の向きでない場合には、その画像を回転する（ステップＳ１５ｍ）。【選択図】  図６
2005229256.tif 000002
【特許請求の範囲】
【請求項１】
物体からの光に対応する画像信号を画像入力手段が出力し、
前記画像信号が前記画像入力手段から出力された際の前記画像入力手段の向きを検出し、
前記画像入力手段から出力された画像信号を画像表示手段に表示し、
前記検出された向きに依存して、前記画像入力手段から出力された画像信号からなる画像を回転して、または、回転せずに記憶する
ことを特徴とする画像処理制御方法。
【請求項２】
前記画像入力手段の向きは、前記画像入力手段と前記物体とをむすぶ直線を軸にした前記画像入力手段の回転角度であり、
前記画像の回転は、前記画像入力手段の回転角度による画像回転を打ち消す回転である
ことを特徴とする請求項１に記載の画像処理制御方法。
【請求項３】
前記画像の回転が行われる向きを示す情報を前記画像表示手段に表示する
ことを特徴とする請求項１または請求項２に記載の画像処理制御方法。
【請求項４】
前記回転された画像に対して画像処理機能を実行する
ことを特徴とする請求項１に記載の画像処理制御方法。
【請求項５】
前記画像処理機能は、日時スタンプ画像との合成機能である
ことを特徴とする請求項４に記載の画像処理制御方法。
【請求項６】
前記回転された画像が添付ファイルとして添付された電子メールを送信する
ことを特徴とする請求項１に記載の画像処理制御方法。
【請求項７】
画像入力手段と、
前記画像入力手段が受ける重力加速度の向きを検出する重力方向検出手段と、
前記画像入力手段から出力された画像信号を表示する画像表示手段と、
前記重力方向検出手段から出力された重力加速度の向きに依存して、前記画像入力手段から出力された画像信号からなる画像に対して回転処理を実行する画像処理制御手段と、
前記画像処理制御手段から出力された回転処理された画像を記憶する記憶手段と、
前記記憶手段に記憶された画像を送信する通信手段と
を有することを特徴とする通信端末装置。
【発明の詳細な説明】
【技術分野】
【０００１】
本発明は、画像処理制御方法及び通信端末装置に係り、特に入力された画像の回転処理制御に関する。
【背景技術】
【０００２】
内蔵されたカメラを用いて写真をデジタルデータとして撮影し、撮影された画像の所定位置に撮影日時などの合成処理を行って画像ファイルに記憶し、更に、その画像ファイルを電子メールの添付ファイルとして送受信する移動通信端末装置が知られている。
【０００３】
移動通信端末装置を写真撮影に用いる場合、その装置が小型であり、また、デジタルカメラとは異なり専用のシャッターキーを備えていないなどの理由により、その装置を１８０度回転させた向き、即ち、その装置の上下を逆にして撮影する恐れがある。装置の上下を逆にしても、ファインダーとしての画像表示部に表示される画像に異常はなく、また、撮影される画像にも異常はない。ところが、画像ファイルに記憶される画像は、１８０度回転されている。そのため、その画像ファイルが表示される場合、１８０度回転された被写体が表示され、見にくい表示となる。
【０００４】
また、撮影された画像の縦横の大きさが異なる場合、被写体の大きさに応じて、装置を右、または、左に９０度回転させた向きとして撮影することが広く知られている。ところが、装置を９０度回転させて撮影された画像は、９０度回転されて画像ファイルに記憶される。そのため、その画像ファイルが表示される場合、９０度回転された被写体が表示され、見にくい表示となる。
【０００５】
そこで、撮影された画像毎に撮影された際のカメラの上下左右の回転の向きを示す情報を添付して画像ファイルに記憶し、その画像の表示の際に上記回転の向きを示す情報に従って画像を回転して表示する処理が知られている（例えば、特許文献１参照。）。
【特許文献１】特開２００１−４５３５４号公報（第２頁、図２）
【発明の開示】
【発明が解決しようとする課題】
【０００６】
しかしながら、上述した特許文献１に開示されている方法では、撮影された画像を記憶する画像ファイルの形式を、向きを示す情報が付加された特殊な形式としなければならない問題点があった。また、表示装置は、その画像を表示する際、その向きを示す情報に従ってその画像を回転して表示する機能が付加された特殊な装置でなければならない問題点があった。更には、画像ファイルの所定位置に合成された撮影日時などが回転されて、見にくい表示となる問題点があった。
【０００７】
移動通信端末装置で撮影された画像の画像ファイルは、例えば、撮影されたまま、任意の電子メールアドレス宛に送信されることがある。そのため、その画像ファイルを受信した装置で上記画像を回転して表示する機能が付加されている可能性が低く、上記問題点は顕著であった。
【０００８】
本発明は、上記問題点を解決するためになされたもので、撮影された際のカメラの回転の向きに従って、撮影された画像を回転して記憶する画像処理制御方法及び通信端末装置を提供することを目的とする。
【課題を解決するための手段】
【０００９】
上記目的を達成するために、本発明の画像処理制御方法は、物体からの光に対応する画像信号を画像入力手段が出力し、前記画像信号が前記画像入力手段から出力された際の前記画像入力手段の向きを検出し、前記画像入力手段から出力された画像信号を画像表示手段に表示し、前記検出された向きに依存して、前記画像入力手段から出力された画像信号からなる画像を回転して、または、回転せずに記憶することを特徴とする。
【発明の効果】
【００１０】
本発明によれば、撮影された際のカメラの回転の向きに従って、撮影された画像を回転して記憶する画像処理制御方法及び通信端末装置を提供することができる。
【発明を実施するための最良の形態】
【００１１】
以下に、本発明による画像処理制御方法及び携帯端末装置の実施の形態を、図面を参照して説明する。図１は、本発明の実施形態に係る画像処理制御方法及び通信端末装置が適用された折畳み型移動通信端末装置の上下筐体の折畳みを開いた時の外観を示す図である。図１（ａ）は背面図を、図１（ｂ）は側面図を、図１（ｃ）は正面図をそれぞれ示す。
【００１２】
この移動通信端末装置は、上筐体１と下筐体２とを、ヒンジ部３によって回動自在に連結してなる。
【００１３】
上筐体１の内面には、受話に用いられるスピーカ１４ａと、利用者に操作を促す表示や、利用者が指示した内容の表示や、装置の動作状態の表示などに用いられるＬＣＤ（Liquid Crystal Display）からなる正面表示部１５ａとが設置されている。また、上筐体１の外面には、装置の動作状態の表示などに用いられるＬＣＤからなる背面表示部１５ｂと、カメラ１５ｃとが設置されている。
【００１４】
更に、上筐体１の内部には、重力を感知して、重力が働く方向を出力する加速度センサー（図示せず）が設置されて、加速度センサーからは、重力の方向を示す重力方向信号が出力されている。重力方向信号は、重力が働く方向、即ち、下の方向を示す３次元の値（ｐ、ｑ、ｒ）である。
【００１５】
ここで、図１に示すように、カメラ１５ｃから被写体に向かう軸をｚ軸とし、ｚ軸と直交で下筐体２から上筐体１に向かう軸をｙ軸とし、ｚ軸とｙ軸とのいずれとも直交し、上筐体１を下筐体２の上部に保って、上筐体１を背面から見て左から右に向かう軸をｘ軸とする。加速度センサーから出力される重力方向信号（ｐ、ｑ、ｒ）は、重力の働く方向のそれぞれｘ成分、ｙ成分、ｚ成分を示す。そして、以後、図１に示す、上筐体１がヒンジ部３の上にあり、ｘ軸及びｚ軸が水平であり、かつ、ｙ軸が垂直である状態を、カメラ１５ｃの標準の向きと称する。
【００１６】
また、下筐体２の内面には、送話に用いられるマイクロフォン１４ｂが設置されている。下筐体２の内面と側面には、キーパッドからなる入力装置１６が設けられている。また、下筐体２の外面には、電波の送受に用いられるアンテナ１２ａが設置されている。
【００１７】
入力装置１６は、下筐体２の内面に設置され、各機能での決定や選択を指示するために用いられるワープ中央キー１６ａと、ワープ中央キー１６ａに隣接してワープ中央キー１６ａを取り囲んで設置され、正面表示部１５ａ上の表示のスクロールなどに用いられるワープ十字キー１６ｂと、英数字や文字、記号の入力などに用いられる数字キーと、移動通信端末装置の電源の投入及び切断などの動作指示の入力に用いられる複数の機能キーと、更に、下筐体２の側面に設置された複数の側面キー１６ｃとを含んでいる。
【００１８】
更に、ヒンジ部３には、上下筐体１、２が開状態にあるか、または、閉状態にあるかを検出する開閉検出部（図示せず）が設置されて、その開閉検出部から開閉信号が出力されている。
【００１９】
図２は、この折畳み型移動通信端末装置を、図１に示した上下筐体１、２が開状態にある状態から、下筐体２が回動されて上下筐体１、２が閉状態になった状態の外観を示す。図２（ａ）は上筐体１の背面図を、図２（ｂ）は側面図をそれぞれ示す。装置がこの状態で、カメラ１５ｃは標準の向きである。なぜなら、図１に示す状態と比較して、カメラ１５ｃが設置されている上筐体１は回動されていないからである。
【００２０】
そこで、この装置を図２に示す状態において撮影された画像は、この装置を図１に示す状態において撮影された画像と同一である。また、図１に示す状態において、また、図２に示す状態において、重力は、ｙ軸の負の方向に働いている。
【００２１】
図３は、この移動通信端末装置の構成を示すブロック図である。この移動通信端末装置は、開閉信号３ａ及び重力方向信号４ａが入力され、装置全体の制御を行う制御部１１と、基地局（図示せず）との間で電波の送受信を行うアンテナ１２ａと、通信部１２ｂと、送受信部１３と、スピーカ１４ａと、マイクロフォン１４ｂと、通話部１４ｃと、正面表示部１５ａと、背面表示部１５ｂと、カメラ１５ｃと、画像処理部１５ｄと、入力装置１６と、撮影条件データ記憶部２１と、画像データ記憶部２２とからなる。
【００２２】
撮影条件データ記憶部２１には、画像処理部１５ｄが写真を撮影する際の条件である撮影条件データファイル２１ａが記憶される。また、画像データ記憶部２２には画像データファイル２２ａが記憶される。なお、画像データファイル２２ａは、圧縮された画像データであっても良く、圧縮の形式は、ＪＰＥＧ（Joint Photographic Expert Group）形式や、ＧＩＦ（Graphical Interchange Format）形式等の圧縮技術が用いられる。
【００２３】
図４は、画像処理部１５ｄの構成を示すブロック図である。画像処理部１５ｄは、制御部１１及び撮影条件データ記憶部２１と接続され、画像処理部１５ｄの各部の制御を行う画像処理制御部１５ｅと、カメラ１５ｃと接続される画像入力部１５ｆと、正面表示部１５ａ、背面表示部１５ｂ及び画像入力部１５ｆと接続される画像出力部１５ｇと、画像データ記憶部２２及び画像入力部１５ｆと接続される画像編集部１５ｈとからなる。
【００２４】
上記のように構成された、本発明の実施形態に係る移動通信端末装置の各部の動作を、図３を参照して説明する。
【００２５】
まず、通信部１２ｂは、アンテナ１２ａが受信した高周波信号を送受信部１３へ出力し、また、送受信部１３から出力される高周波信号をアンテナ１２ａより送信する。
【００２６】
送受信部１３は、通信部１２ｂからの高周波信号を増幅、周波数変換及び復調し、それによって得られたデジタル音声信号を通話部１４ｃへ、また、制御信号を制御部１１に送る。更には、通話部１４ｃから出力されるデジタル音声信号、及び制御部１１から出力される制御信号を変調、周波数変換及び増幅し、高周波信号を得て、それを通信部１２ｂに送る。
【００２７】
次に、通話部１４ｃは、送受信部１３から出力されるデジタル音声信号をアナログ音声信号に変換し、それを増幅してスピーカ１４ａに送る。また、マイクロフォン１４ｂから出力されるアナログ音声信号を増幅し、それをデジタル音声信号に変換して送受信部１３に送信する。
【００２８】
次に、正面表示部１５ａの動作を説明する。正面表示部１５ａは、開閉信号３ａによって上下筐体１、２が開状態にあると検出された場合に、制御部１１に制御されることで、文字・数字や画像データの表示動作を行い、表示されているデータは、入力装置１６からの入力操作や着信信号に応答し、また、画像処理部１５ｄからの表示要求に従って制御部１１からの指示を受けることで切換わる。
【００２９】
次に、背面表示部１５ｂの動作を説明する。背面表示部１５ｂは、開閉信号３ａによって上下筐体１、２が閉状態にあると検出された場合に、制御部１１に制御されることで、文字・数字や画像データの表示動作を行い、表示されているデータは、入力装置１６からの入力操作や着信信号に応答し、また、画像処理部１５ｄからの表示要求に従って制御部１１からの指示を受けることで切換わる。
【００３０】
カメラ１５ｃは、例えばＣＣＤカメラであり、画像処理部１５ｄより起動されることにより画像入力動作を開始し、入力した画像の信号を画像処理部１５ｄに送る。
【００３１】
入力装置１６は、通信相手の電話番号を指定するための数字キーと複数の機能キーを含むキーからなり、入力装置１６のキーが操作されると、そのキーの識別子が制御部１１に通知され、制御部１１によって、正面表示部１５ａまたは背面表示部１５ｂに文字や数字として表示される。
【００３２】
また、移動通信端末装置が写真撮影モードで動作している場合、即ち、利用者が写真を撮影中には、制御部１１によって、文字コード、数字コード、制御信号、または、キーの識別子が画像処理部１５ｄに送信される。また、利用者が撮影条件を入力中には、制御部１１によって、文字コード、数字コード、または、制御信号が撮影条件データファイル２１ａに格納される。
【００３３】
次に、画像処理部１５ｄの動作を図３及び図４を参照して説明する。画像処理部１５ｄは、カメラ１５ｃから出力された画像信号の処理を行う装置であり、画像処理部１５ｄの各部の制御を行う画像処理制御部１５ｅの動作の説明を中心に、画像処理部１５ｄの動作を説明する。図５は、この画像処理制御部１５ｅの動作を示すフローチャートである。
【００３４】
画像処理制御部１５ｅは、入力装置１６の所定のキーが操作され、移動通信端末装置が写真撮影モードでの動作が指示された、即ち、画像処理の開始が指示されたことにより、制御部１１から起動されて動作を開始し（ステップＳ１５ａ）、続いて、画像入力部１５ｆと、画像出力部１５ｇとを起動する（ステップＳ１５ｂ）。
【００３５】
画像入力部１５ｆは、カメラ１５ｃから出力された画像信号を受信して、その画像信号を画像出力部１５ｇに送信する。画像出力部１５ｇは、画像入力部１５ｆから出力された画像信号を受信すると、その画像信号を正面表示部１５ａまたは背面表示部１５ｂに表示する。既に説明したように、いずれの表示部に表示されるかは、制御部１１が上下筐体１、２が開状態にあるか、閉状態にあるかによって制御する。
【００３６】
画像処理制御部１５ｅは、続いて、制御部１１から出力された所定のシャッターキーの識別子を受信する（ステップＳ１５ｃ）。ここで、シャッターキーとは、上下筐体１、２が開状態にある場合、ワープ中央キー１６ａであり、一方、上下筐体１、２が閉状態にある場合、所定の側面キー１６ｃであるが、これに限るものではない。
【００３７】
続いて、画像処理制御部１５ｅは、画像入力部１５ｆに対して、被写体の状態に依存して変化する撮影条件を設定させ、設定された撮影条件で写真を撮影させる。即ち、設定された撮影条件に従って、カメラ１５ｃから出力された画像信号を受信して、その画像信号からなる画像を送信させる（ステップＳ１５ｄ）。
【００３８】
上記撮影条件には、被写体と移動通信端末装置との間の距離に依存して、被写体に焦点を合わせることと、被写体の輝度に依存して、絞り及び／またはフレームレートを決定することとがあるがこれに限るものではない。例えば、ストロボ発光部（図示せず）を発光させるか否かを決定することが含まれていても良い。
【００３９】
続いて、画像処理制御部１５ｅは、画像入力部１５ｆがカメラ１５ｃから出力された画像信号を受信した際の重力方向信号４ａを、制御部１１から受信する（ステップＳ１５ｅ）。そして、画像編集部１５ｈに対して、画像入力部１５ｆによって送信された画像を受信させ、ステップＳ１５ｅで受信した重力方向信号４ａと、編集の内容とを引数に、その画像を編集させる（ステップＳ１５ｆ）。そして、ステップＳ１５ｃの所定のシャッターキーの識別子を受信するステップに戻って、処理を繰返す。
【００４０】
次に、ステップＳ１５ｆの、画像編集部１５ｈの動作を説明する。画像編集部１５ｈが行う編集の内容は、固定的に定められ、または、事前に利用者が入力装置１６の所定のキーを操作することによって決定され、そして、撮影条件データファイル２１ａに記憶された撮影条件である。
【００４１】
上記の撮影条件は、撮影された画像の回転を行うか否か、撮影された画像に撮影日時を合成するか否か、撮影された画像を添付ファイルとした電子メールを利用者の介入なしに送信するか否か、上記電子メールを送信するなら、宛先の電子メールアドレスであるが、これに限るものではない。
【００４２】
図６は、画像編集部１５ｈの動作のフローチャートを示す。画像編集部１５ｈは、画像処理制御部１５ｅの指示によって動作を開始し（ステップＳ１５ｊ）、まず、撮影された画像の回転を行う指示が与えられているか否かを調べる（ステップＳ１５ｋ）。そして、撮影された画像の回転を行う指示が与えられている場合（ステップＳ１５ｋの「ＹＥＳ」）、撮影された画像の回転を行い（ステップＳ１５ｍ）、その回転を行う指示が与えられていない場合（ステップＳ１５ｋの「ＮＯ」）、ステップＳ１５ｍの画像の回転の動作を行わない。
【００４３】
ステップＳ１５ｍの撮影された画像の回転の動作は、以下に説明するように行われる。即ち、画像編集部１５ｈは、まず、重力方向信号４ａ（ｐ、ｑ、ｒ）からベクトル（ｐ、ｑ）を求め、そのベクトルがｘ軸の正方向か、ｘ軸の負方向か、軸の正方向か、ｙ軸の負方向との４つの方向のいずれの方向を指しているかを求める。
【００４４】
図７を参照して、上記ベクトルが上記いずれの方向を指しているかの判断方法を具体的に説明する。図７は、ｘ、ｙ軸からなる２次元平面を示す。この平面は、ｘ軸、ｙ軸、直線ｑ＝ｐ、及び、直線ｑ＝−ｐの、いずれも原点で交わる４本の直線により、８つの部分平面に分割されている。
【００４５】
点（ｐ、ｑ）が、ｙ軸の負の部分と、その部分の両側の部分平面からなる第１の領域Ａ１にある場合、言い換えれば、ｑが負で、ｑの絶対値がｐの絶対値より大きい場合（ｑ≦０、かつ、｜ｑ｜≧｜ｐ｜）、上記ベクトルはｙ軸の負の方向を指しており、重力はｙ軸の負の方向から働いていると判断する。この場合、装置は、図１及び図２に示すカメラ１５ｃを標準の向きに保った状態にあることを示している。
【００４６】
また、点（ｐ、ｑ）が、ｘ軸の正の部分と、その部分の両側の部分平面からなる第２の領域Ａ２にある場合、言い換えれば、ｐが正で、ｐの絶対値がｑの絶対値より大きい場合（ｐ＞０、かつ、｜ｐ｜＞｜ｑ｜）、上記ベクトルはｘ軸の正の方向を指しており、重力はｘ軸の正の方向から働いていると判断する。この場合、装置は、図８（ａ）に示す、被写体から見て、カメラ１５ｃを標準の向きから時計回りに９０度回転した向きの状態にあることを示している。
【００４７】
また、点（ｐ、ｑ）が、ｙ軸の正の部分と、その部分の両側の部分平面からなる第３の領域Ａ３にある場合、言い換えれば、ｑが正で、ｑの絶対値がｐの絶対値より大きい場合（ｑ＞０、かつ、｜ｑ｜≧｜ｐ｜）、上記ベクトルはｙ軸の正の方向を指しており、重力はｙ軸の正の方向から働いていると判断する。この場合、装置は、装置は、図８（ｂ）に示す、被写体から見て、カメラ１５ｃを標準の向きから時計回りに１８０度回転した向きの状態にあることを示している。
【００４８】
また、点（ｐ、ｑ）が、ｘ軸の負の部分と、その部分の両側の部分平面からなる第４の領域Ａ４にある場合、言い換えれば、ｐが負で、ｐの絶対値がｑの絶対値より大きい場合（ｐ＜０、かつ、｜ｐ｜＞｜ｑ｜）、上記ベクトルはｘ軸の負の方向を指しており、重力はｘ軸の負の方向から働いていると判断する。この場合、装置は、図８（ｃ）に示す、被写体から見て、カメラ１５ｃを標準の向きから時計回りに２７０度回転した向きの状態にあることを示している。
【００４９】
図８（ａ）〜（ｃ）は、いずれも上下筐体１、２が閉状態にある場合を示しているが、カメラ１５ｃが設置されている上筐体１が図８（ａ）〜（ｃ）に示す向きにあれば、上下筐体１、２は開状態にあっても良い。
【００５０】
以上、カメラの撮影方向（レンズの光軸）が水平である場合について説明したが、例えば机上に置いた書面を撮影する場合等、カメラを下もしくは上に向けて撮影する場合も当然考えられる。この状態は、加速度センサー出力のｚ軸方向の値ｒにより検出することができる。
【００５１】
また、ｘ軸方向とｙ軸方向の２方向の加速度を検出する加速度センサーを使用するように構成しても良い、その場合装置のｘ軸方向およびｙ軸方向の加速度はｐ、ｑの値は、センサーの感度方向と重力のベクトルの内積であるため光軸が水平の場合に比べて値が小さくなる。この性質を利用して、ｐ、ｑの値が共に所定の値未満の場合は、標準の向きとして扱うようにしても良い。
【００５２】
重力がｙ軸の負の方向から働いている場合、即ち、カメラ１５ｃが標準の向きにある場合、画像編集部１５ｈは、画像入力部１５ｆによって送信された画像を回転しない。また、重力がｘ軸の正の方向から働いている場合、即ち、カメラ１５ｃが標準の向きから時計回りに９０度回転した向きにある場合、画像入力部１５ｆによって送信された画像を反時計回りに９０度回転する。
【００５３】
更に、重力がｙ軸の正の方向から働いている場合、即ち、カメラ１５ｃが標準の向きから時計回りに１８０度回転した向きにある場合、画像編集部１５ｈは、画像入力部１５ｆによって送信された画像を反時計回りに１８０度回転する。重力がｘ軸の負の方向から働いている場合、即ち、カメラ１５ｃが標準の向きから時計回りに２７０度回転した向きにある場合、画像入力部１５ｆによって送信された画像を反時計回りに２７０度回転する。
【００５４】
上記の画像の回転により、カメラ１５ｃが標準の向きから回転した向きにある場合に画像入力部１５ｆによって送信された画像が表示された際、画像が回転されて、即ち、被写体が回転されて表示されることを打ち消すことができる。言い換えれば、被写体の上部が上部に、被写体の下部が下部に表示される。
【００５５】
画像編集部１５ｈは、次に、撮影日時スタンプの合成が指示されているか否かを調べる（ステップＳ１５ｎ）。そして、その合成が指示されている場合（ステップＳ１５ｎの「ＹＥＳ」）、日時を制御部１１が内蔵するクロック部から読み出して、画像入力部１５ｆによって送信され、更に、ステップＳ１５ｍで回転が行われた、または、回転が行われなかった画像の所定位置に日時からなる画像を合成する（ステップＳ１５ｏ）。一方、その合成が指示されていない場合（ステップＳ１５ｎの「ＮＯ」）、ステップＳ１５ｏの動作を行わない。
【００５６】
画像編集部１５ｈは、次に、画像入力部１５ｆによって送信され、更に、状況に依存してステップＳ１５ｍで回転が行われ、更に、ステップＳ１５ｏで撮影日時スタンプが合成された、または、合成されなかった画像を符号化し、符号化された画像を画像データファイル２２ａとして画像データ記憶部２２に格納する（ステップＳ１５ｐ）。
【００５７】
画像編集部１５ｈは、次に、画像データ記憶部２２に記憶された上記画像データファイル２２ａを電子メールの添付ファイルとして送信する指示がされているか否かを調べる（ステップＳ１５ｑ）。
【００５８】
そして、上記指示がされている場合（ステップＳ１５ｑの「ＹＥＳ」）、画像編集部１５ｈは、撮影条件データファイル２１ａに記憶された電子メールアドレスあてに、上記画像データファイル２２ａを添付ファイルとした電子メールの送信を電子メール送信部（図示せず）に指示して（ステップＳ１５ｒ）、動作を終了する（ステップＳ１５ｓ）。一方、上記指示がされていない場合（ステップＳ１５ｑの「ＮＯ」）、ステップＳ１５ｒの動作を行わずに、動作を終了する（ステップＳ１５ｓ）。
【００５９】
以上の説明では、画像編集部１５ｈのステップＳ１５ｍの動作における画像の回転は、回転しない、９０度の回転、１８０度の回転、２７０度の回転の４種類としたが、これに限るものではない。例えば、４５度きざみの８種類の回転を行うとしても良い。これによれば、菱形の写真の撮影が可能である。また、円形の写真の撮影の際には、細かい角度きざみの回転を行うとしても良い。
【００６０】
また、以上の説明では、画像編集部１５ｈのステップＳ１５ｋの動作における画像の回転を行うか否かの判断は、撮影条件データファイル２１ａに記憶された内容によるとしたが、これに限るものではない。シャッターキーを２つ用意し、一方のシャッターキーが操作された場合、上記画像の回転を行い、他方のシャッターキーが操作された場合、上記画像の回転を行わないと判断するとしても良い。
【００６１】
更に、第３以降のシャッターキーを用意し、第３以降のシャッターキーが操作された場合、操作されたシャッターキーに対応して設定された角度の回転を行うとしても良い。複数のシャッターキーは、上下筐体１、２が開状態にある場合、ワープ中央キー１６ａとワープ十字キー１６ｂであり、上下筐体１、２が閉状態にある場合、複数の側面キー１６ｃであるが、これに限るものではない。
【００６２】
また、写真撮影モードにおいて、画像処理制御部１５ｅは、常に制御部１１から重力方向信号４ａを受信して画像編集部１５ｈに送信し、画像編集部１５ｈは、常にステップＳ１５ｍの画像回転の有無と、回転の角度の算出を行っても良い。そして、算出された結果に基いて、正面表示部１５ａ、または、背面表示部１５ｂに表示される画像信号に併せて、その画像信号からなる画像が回転された後、画像データ記憶部２２にいずれの方向で格納されるかを表示しても良い。
【００６３】
例えば、回転された画像で上部になる部分に「上」などの文字を表示しても良いし、回転された画像で上部になる部分に上向きの矢印記号を画像の外側に向けて表示するなどをしても良い。
【００６４】
本実施形態においては、画像処理部１５ｄは、写真を撮影する装置であるとしたが、これに限るものではない。例えば、写真の連写（所定の時間間隔で連続して写真を撮影すること。）を行う装置であっても良い。また、ビデオ撮影を行う装置であっても良い。画像処理部１５ｄがビデオ撮影を行う場合、画像編集部１５ｈは、画像データファイル２２ａに例えばＭＰＥＧ（Moving Picture Experts Group）形式のデータを格納する。
【００６５】
また、以上の説明は、本発明を移動通信端末装置に適用した形態を例にとって行ったが、本発明は、ＰＤＡ（Personal Digital Assistant）や、携帯型のパソコンなどに適用することも当然に可能である。本発明は以上の構成に限定されるものではなく、種々の変形が可能である。
【図面の簡単な説明】
【００６６】
【図１】本発明の実施形態に係る移動通信端末装置の上下筐体が開状態における外観図。
【図２】本発明の実施形態に係る移動通信端末装置の上下筐体が閉状態における外観図。
【図３】本発明の実施形態に係る移動通信端末装置の構成を示すブロック図。
【図４】本発明の実施形態に係る画像処理部の構成を示すブロック図。
【図５】本発明の実施形態に係る画像処理制御部の動作のフローチャート。
【図６】本発明の実施形態に係る画像編集部の動作のフローチャート。
【図７】本発明の実施形態に係る重力が働く方向とカメラの回転との関係を示す図。
【図８】本発明の実施形態に係る移動通信端末装置が回転された状態における外観図。
【符号の説明】
【００６７】
１  上筐体
２  下筐体
４ａ  重力方向信号
１５ａ  正面表示部
１５ｂ  背面表示部
１５ｃ  カメラ
１５ｄ  画像処理部
１５ｅ  画像処理制御部
１５ｆ  画像入力部
１５ｇ  画像出力部
１５ｈ  画像編集部
１６  入力装置
１６ａ  ワープ中央キー
１６ｂ  ワープ十字キー
１６ｃ  側面キー
２１  撮影条件データ記憶部
２１ａ  撮影条件データファイル
２２  画像データ記憶部
２２ａ  画像データファイル
【図１】
2005229256.tif 000003
【図２】
2005229256.tif 000004
【図３】
2005229256.tif 000005
【図４】
2005229256.tif 000006
【図５】
2005229256.tif 000007
【図６】
2005229256.tif 000008
【図７】
2005229256.tif 000009
【図８】
2005229256.tif 000010